(57)【要約】【課題】適切にかつ容易に焼き付きを防止可能な表示装置の提供。【解決手段】表示装置は、映像の所定領域２００を、第１画素２５１を基準に０．２５画素分ずつ右方向へ拡大させる処理と、第７画素２５７を基準に０．２５画素分ずつ右方向へ縮小させる処理と、を実施して、所定領域２００を右側へ移動させる制御をする。このため、所定領域２００の大きさを１ステップでの拡大量、縮小量が１画素未満となるように変化させながら映像を移動させるので、視覚的に違和感なく映像の大きさを変化させつつ移動させることができる。各画素の点灯状態を制御するので、デジタル信号での処理にも適用できる。画素変換処理などを実施する必要がなく、容易な処理で映像を移動させることができる。映像の大きさを変化させつつ移動させるので、大きさを変化させずに移動させる構成と比べて、映像全体がぼけるのを抑制できる。【選択図】図３
2007286496.tif 000002
【特許請求の範囲】
【請求項１】
入力映像信号に対応して表示部で表示される映像の表示状態を制御する表示状態制御装置であって、
前記表示部は、複数の画素を備え、
前記映像における所定領域の一端を基準として、この一端と対向する他端を前記一端から離す状態に、前記所定領域を１ステップでの拡大量が１画素未満となるように拡大させる処理と、
前記他端を基準として、前記一端を前記他端に近づける状態に、前記所定領域を１ステップでの縮小量が１画素未満となるように縮小させる処理と、
を実施して、前記所定領域を前記他端側へ移動させる移動制御手段を具備した
ことを特徴とした表示状態制御装置。
【請求項２】
請求項１に記載の表示状態制御装置であって、
前記移動制御手段は、
前記他端を基準として、前記一端を前記他端から離す状態に、前記所定領域を１ステップでの拡大量が１画素未満となるように拡大させる処理と、
前記一端を基準として、前記他端を前記一端に近づける状態に、前記所定領域を１ステップでの縮小量が１画素未満となるように縮小させる処理と、
を実施して、前記所定領域を前記一端側へ移動させる
ことを特徴とした表示状態制御装置。
【請求項３】
請求項１または請求項２に記載の表示状態制御装置であって、
前記移動制御手段は、前記拡大させる大きさと、前記縮小させる大きさと、が等しい状態で、前記所定領域を移動させる
ことを特徴とした表示状態制御装置。
【請求項４】
請求項１ないし請求項３のいずれかに記載の表示状態制御装置であって、
前記移動制御手段は、前記拡大させる処理および前記縮小させる処理のうち少なくともいずれか一方の処理を、前記映像における全ての領域について同一のタイミングで実施する
ことを特徴とした表示状態制御装置。
【請求項５】
表示部と、
入力映像信号を取得して、この入力映像信号に対応する映像を前記表示部で表示させる表示制御手段と、
前記表示部で表示される映像の表示状態を制御する請求項１ないし請求項４のいずれかに記載の表示状態制御装置と、
を具備したことを特徴とした表示装置。
【請求項６】
請求項５に記載の表示装置であって、
前記表示部は、プラズマディスプレイパネルである
ことを特徴とした表示装置。
【請求項７】
演算手段にて、入力映像信号に対応して表示部で表示される映像の表示状態をする表示状態制御方法であって、
前記表示部に、複数の画素を設け、
前記演算手段は、
前記映像における所定領域の一端を基準として、この一端と対向する他端を前記一端から離す状態に、前記所定領域を１ステップでの拡大量が１画素未満となるように拡大させる処理と、
前記他端を基準として、前記一端を前記他端に近づける状態に、前記所定領域を１ステップでの縮小量が１画素未満となるように縮小させる処理と、
を実施して、前記所定領域を前記他端側へ移動させる
ことを特徴とする表示状態制御方法。
【請求項８】
請求項７に記載の表示状態制御方法を演算手段に実行させる
ことを特徴とした表示状態制御プログラム。
【請求項９】
演算手段を請求項１ないし請求項４のいずれかに記載の表示状態制御装置として機能させる
ことを特徴とした表示状態制御プログラム。
【請求項１０】
請求項８または請求項９に記載の表示状態制御プログラムが演算手段にて読取可能に記録された
ことを特徴とした表示状態制御プログラムを記録した記録媒体。
【発明の詳細な説明】
【技術分野】
【０００１】
本発明は、入力映像信号に対応した映像の表示状態を制御する表示状態制御装置、表示装置、表示状態制御方法、そのプログラム、および、そのプログラムを記録した記録媒体に関する。
【背景技術】
【０００２】
近年、大型ディスプレイの普及に伴い、テレビ画面などの動画表示以外の用途にも表示装置が用いられている。
【０００３】
例えば、大画面を活かして店頭広告用ディスプレイとして、或いは、駅やサービスエリアでのインフォメーション用ディスプレイなどとして一定時間静止画を表示させるような使い方も多く見られるようになった。
プラズマディスプレイパネル（ＰＤＰ）やＣＲＴ（Cathode-Ray Tube）などの表示装置は、このように一定時間映像を表示すると、焼き付きの現象が発生することが知られている。
画面の焼き付きは、映像に輝度差がある表示領域において、発光材質の劣化の程度に差が生じることに起因する。
表示装置の様々な用途に対応するためには、焼き付きの現象を防止する必要があり、それについて様々な対策が提案されている。
【０００４】
表示装置における焼き付きを防止する代表的な手段として、スクリーンセーバーを用いる方法が知られているが、表示内容が変わってしまうためインフォメーション用ディスプレイには適さない。
そこで、表示画面を変えずに焼き付きを防止する手段として一般的に用いられているのが、特許文献１に開示されているような映像の表示位置を画素単位で周期的に移動させるという方法である。
【０００５】
この特許文献１の技術では、所定周期毎に映像の表示位置を１画素単位で移動させるため、長い周期による移動とはいえ映像全体が１画素分急峻に移動するため、視覚的にどうしても不自然さが目立つという問題がある。
【０００６】
そこで、特許文献２ないし特許文献５には、映像の表示位置を移動させて焼き付きを防止するに際し、視覚的に違和感なく映像の表示位置を移動させる技術が開示されている。
このうち特許文献２の技術では、表示させようとする映像の同期信号に基づいて時間を計測し、その計測結果に基づいて同期信号の位相を所定時間単位で進行させ、かつ後退させるよう調整する。
【０００７】
特許文献３の技術では、入力信号に対して画素変換を行い、その補間位置間の位相を一律に３６０°として、３６０°よりも小さな変化単位で位相を変化させる。ただし、画素変換が行われない場合は、位相を変化させない。
【０００８】
特許文献４の技術では、入力信号に対し、画素変換比率に応じた所定の周期パタンによる係数情報に基づいた補間処理を行い、そのときの係数情報の開始位置を可変にすることにより、１画素未満の移動量による画素ずらしを実現する。
【０００９】
特許文献５の技術では、所定周期毎に映像の表示位置を徐々に移動させることにより、映像を変更せずに画面の焼き付きを防止することができるだけでなく、映像を見かけ上サブピクセル単位で移動させることにより、視覚的に違和感なく映像の表示位置を移動させることができる。
【００１０】
【特許文献１】特開２０００−２２７７７５号公報
【特許文献２】特開２００３−２７４３１５号公報
【特許文献３】特開２００４−２６４３６６号公報
【特許文献４】特開２００５−０７０２２６号公報
【特許文献５】特開２００５−１０７１３２号公報
【発明の開示】
【発明が解決しようとする課題】
【００１１】
上記のように、特許文献１の技術では、映像全体が１画素分急峻に移動するため、視覚的にどうしても不自然さが目立つという問題がある。
【００１２】
また、特許文献１の技術における問題に鑑みてなされた特許文献２ないし特許文献５の技術でも、それぞれ以下の問題がある。
【００１３】
特許文献２の技術では、同期信号の位相調整によるスムーズな表示画面の移動はアナログ信号入力時の処理に限られており、デジタル信号入力時の処理では１画素単位の移動になってしまうという問題を有している。高画質化の要求が高まる昨今では、デジタル入力時における焼き付き防止の処理も必須であり、アナログ入力時と共に対応できる焼き付きの防止機能が必要である。
【００１４】
特許文献３の技術では、画素変換処理と映像表示位置移動処理とを同時に行うため、処理が複雑になるという問題がある。例えば、３６０°よりも小さな位相変化で、表示位置の移動範囲が１画素を超える場合、１画素を跨ぐ瞬間の係数変換をＦＩＦＯメモリによるデータ読み出しなどで行う場合の処理は容易ではない。また、特許文献３の技術では、画素変換を行わない場合には位相を変化させないため、位相を変化させるには必ず画素変換を行わなければならないという問題もある。
【００１５】
特許文献４の技術では、画素変換比率に応じた所定の周期パタンによる係数情報を利用しているため、拡大率により１画素以内の移動量の分解能が異なってしまうという問題が生じる。また、画素変換係数によっては、隣接した補間点が順番に並ばない場合があり、それにより場合分けを行わなければならず、処理が複雑である。
【００１６】
特許文献５の技術では、映像を見かけ上サブピクセル単位で移動させることにより、視覚的に違和感なく映像の表示位置を移動させることができるが、映像がぼけてしまうという問題がある。
【００１７】
この点について、図１を参照して詳細に説明する。
図１は、時間経過に伴い１本の水平ライン上の映像の表示位置が変化する様子を示す図である。
【００１８】
例えば、図１に示すように、初期状態（最上段の状態）として、１本の水平ライン上において、黒表示の画素１と白表示の画素２とが交互に並んでいるとする。
この状態から、映像を１画素分だけ右方向に水平移動させると、例えば、図１の最下段に示すように、白表示の画素２と黒表示の画素１とが交互に並ぶ状態となる。
特許文献５の技術では、図１の最上段の状態から最下段の状態に移行させる過程で、時間経過に伴い、図１に示すように黒表示の画素１は徐々に白表示の画素２へと変化させる一方で、白表示の画素２は徐々に黒表示の画素１へと変化させる。
【００１９】
すなわち、一番左側の画素、真ん中の画素、及び、一番右側の画素は、それぞれ、時間経過に伴い、黒表示の画素１→黒に近いグレーの画素３→黒と白の中間のグレーの画素４→白に近いグレーの画素５→白表示の画素２へと変化する。
逆に、左から２番目及び右から２番目の画素は、それぞれ、時間経過に伴い、白表示の画素２→白に近いグレーの画素５→黒と白の中間のグレーの画素４→黒に近いグレーの画素３→黒表示の画素１へと変化する。
その過程において、時系列的に見て丁度中間の時点、すなわち、例えば、図１の中段（上から３番目の段）の状態では、全ての画素が黒と白の中間のグレーの画素４となり、映像の全体がぼけた状態となる。
【００２０】
以上のように、特許文献１の技術では一画素単位で映像を移動させるために映像の移動時の切り替わりが目に付くという問題があり、特許文献２の技術では同期信号の位相調整により焼き付き防止対策を行うためにアナログ信号での処理に限られるという問題があり、特許文献３および特許文献４の技術では処理が容易でないという問題があった。また、特許文献５の技術では、映像がぼけてしまうという問題があった。
【００２１】
本発明の目的は、このような実情などに鑑みて、適切にかつ容易に表示部の焼き付きを防止可能な表示状態制御装置、表示装置、表示状態制御方法、そのプログラム、および、そのプログラムを記録した記録媒体を提供することである。
【課題を解決するための手段】
【００２２】
請求項１に記載の発明は、入力映像信号に対応して表示部で表示される映像の表示状態を制御する表示状態制御装置であって、前記表示部は、複数の画素を備え、前記映像における所定領域の一端を基準として、この一端と対向する他端を前記一端から離す状態に、前記所定領域を１ステップでの拡大量が１画素未満となるように拡大させる処理と、前記他端を基準として、前記一端を前記他端に近づける状態に、前記所定領域を１ステップでの縮小量が１画素未満となるように縮小させる処理と、を実施して、前記所定領域を前記他端側へ移動させる移動制御手段を具備したことを特徴とした表示状態制御装置である。
【００２３】
請求項５に記載の発明は、表示部と、入力映像信号を取得して、この入力映像信号に対応する映像を前記表示部で表示させる表示制御手段と、前記表示部で表示される映像の表示状態を制御する請求項１ないし請求項４のいずれかに記載の表示状態制御装置と、を具備したことを特徴とした表示装置である。
【００２４】
請求項７に記載の発明は、演算手段にて、入力映像信号に対応して表示部で表示される映像の表示状態をする表示状態制御方法であって、前記表示部に、複数の画素を設け、前記演算手段は、前記映像における所定領域の一端を基準として、この一端と対向する他端を前記一端から離す状態に、前記所定領域を１ステップでの拡大量が１画素未満となるように拡大させる処理と、前記他端を基準として、前記一端を前記他端に近づける状態に、前記所定領域を１ステップでの縮小量が１画素未満となるように縮小させる処理と、を実施して、前記所定領域を前記他端側へ移動させることを特徴とする表示状態制御方法である。
【００２５】
請求項８に記載の発明は、請求項７に記載の表示状態制御方法を演算手段に実行させることを特徴とした表示状態制御プログラムである。
【００２６】
請求項９に記載の発明は、演算手段を請求項１ないし請求項４のいずれかに記載の表示状態制御装置として機能させることを特徴とした表示状態制御プログラムである。
【００２７】
請求項１０に記載の発明は、請求項８または請求項９に記載の表示状態制御プログラムが演算手段にて読取可能に記録されたことを特徴とした表示状態制御プログラムを記録した記録媒体である。
【発明を実施するための最良の形態】
【００２８】
以下に、本発明の一実施の形態を図面に基づいて説明する。
図２は、本発明の一実施の形態に係る表示装置の概略構成を示すブロック図である。図３は、映像の移動制御を説明するための概念図であり、（Ａ）は等倍状態を表し、（Ｂ）は（Ａ）の状態から所定領域が０．２５画素分右方向へ拡大された際の状態を表し、（Ｃ）は（Ａ）の状態から所定領域が０．５画素分右方向へ拡大された際の状態を表し、（Ｄ）は（Ａ）の状態から所定領域が０．７５画素分右方向へ拡大された際の状態を表し、（Ｅ）は（Ａ）の状態から所定領域が１画素分右方向へ拡大された際の状態を表し、（Ｆ）は（Ｅ）の状態から所定領域が０．２５画素分右方向へ縮小された際の状態を表し、（Ｇ）は（Ｅ）の状態から所定領域が０．５画素分右方向へ縮小された際の状態を表し、（Ｈ）は（Ｅ）の状態から所定領域が０．７５画素分右方向へ縮小された際の状態を表し、（Ａ）の状態から所定領域が１画素分右方向へ移動した際の状態を表す。図４は、映像を所定画素分拡大させた際の各画素における信号出力レベルの調整状態を表形式で示す図である。
【００２９】
〔表示装置の構成〕
図２において、１００は表示装置である。この表示装置１００は、映像信号入力部１１０と、Ａ／Ｄ変換部１２０と、表示部としてのプラズマディスプレイパネル１３０と、表示状態制御装置１４０と、を備えている。
【００３０】
映像信号入力部１１０は、コンポーネント信号およびＲＧＢ信号を有する映像信号の入力を受け付ける。そして、入力切り替え、色分離、色復調などの処理を実施して、Ａ／Ｄ変換部１２０へ出力する。
【００３１】
Ａ／Ｄ変換部１２０は、映像信号入力部１１０から入力される各種信号をデジタル信号に変換する。そして、このデジタル信号を表示状態制御装置１４０へ出力する。
【００３２】
プラズマディスプレイパネル１３０は、表示状態制御装置１４０の制御に基づいて、所定の映像を表示する。
このプラズマディスプレイパネル１３０は、上下左右方向に並設された複数の画素を備えている。
【００３３】
表示状態制御装置１４０は、Ａ／Ｄ変換部１２０からのデジタル信号に基づいて、プラズマディスプレイパネル１３０で所定の映像を表示させる制御をする。
そして、表示状態制御装置１４０は、表示制御手段１４１と、移動制御手段１４２と、タイマ１４３と、を備えている。
【００３４】
タイマ１４３は、例えば内部クロックなどの基準パルスに基づき計時して、この計時した時間に関する計時情報を適宜出力する。
【００３５】
表示制御手段１４１は、Ａ／Ｄ変換部１２０からのデジタル信号を取得する。そして、このデジタル信号に対応する信号出力レベルで各画素を点灯させ、所定の映像をプラズマディスプレイパネル１３０で表示させる制御をする。
【００３６】
移動制御手段１４２は、各画素の点灯状態を制御して、表示制御手段１４１により表示された映像の全ての領域を、左右方向に微小な長さ寸法だけ同一のタイミングで拡大および縮小させ、微小距離だけ適宜移動させる。
【００３７】
ここで、移動制御手段１４２の制御について、図３（Ａ）〜（Ｉ）、および、図４を参照して説明する。
なお、ここでは、制御内容を理解しやすくするために、表示領域の第Ｐ（Ｌは自然数）ラインを構成する７個の画素を適宜利用して、映像の所定領域を表示させる構成を例示して説明する。また、静止画が表示されている場合を例示して説明する。
また、図３（Ａ）〜（Ｉ）において、第１〜第７画素２５１〜２５７を表す丸形図形中のハッチングは、映像の所定領域２００を意味する。例えば図３（Ａ）では、所定領域２００の大きさは、第１〜第６画素２５１〜２５６の大きさを合わせた６画素分である旨を意味する。さらに、図３（Ｂ），（Ｃ），（Ｄ），（Ｅ）では、所定領域２００の大きさは、６．２５画素分、６．５画素分、６．７５画素分、７画素分である旨を意味する。
【００３８】
移動制御手段１４２は、所定領域２００を拡大させる処理として以下のような処理をする。
すなわち、所定領域２００を拡大および縮小させていない等倍状態における所定領域２００を表示させている画素の数をＨ、拡大させる大きさを１個の画素の大きさで除した値をＪ、拡大基準画素における拡大させる前の信号出力レベルをＬ（１，０）、拡大基準画素のＫ（Ｋは１以上の自然数）個隣の画素における拡大させる前の信号出力レベルをＬ（Ｋ＋１，０）、として、拡大基準画素における信号出力レベルを、以下の式（１）で求められるＬ（１，Ｊ）となる状態に制御する。
【００３９】
Ｌ（１，Ｊ）＝Ｌ（１，０）…（１）
【００４０】
また、拡大基準画素のＫ個隣の画素における信号出力レベルを、以下の式（２）で求められるＬ（Ｋ＋１，Ｊ）となる状態に制御する。
【００４１】
Ｌ（Ｋ＋１，Ｊ）＝（（Ｋ×Ｊ）／Ｈ）×Ｌ（Ｋ，０）＋（（Ｈ−Ｋ×Ｊ）／Ｈ）×Ｌ（Ｋ＋１，０）…（２）
【００４２】
具体的には、移動制御手段１４２は、表示制御手段１４１の制御により、映像が拡大または縮小されずに表示され、図３（Ａ）に示すように、第Ｐラインで表示される所定領域２００の大きさが６画素分の等倍状態であるとする。すなわち、図４に示すように、第１画素２５１、第２画素２５２、第３画素２５３、第４画素２５４、第５画素２５５、第６画素２５６、第７画素２５７の等倍状態における信号出力レベルは、Ｌ（１，０），Ｌ（２，０），Ｌ（３，０），Ｌ（４，０），Ｌ（５，０），Ｌ（６，０），０であるとする。
このとき、式（１），（２）中のＨの値は６となる。また、第３画素２５３、第４画素２５４、第５画素２５５、第６画素２５６、第７画素２５７に対応するＪの値は、１，２，３，４，５となる。さらに、第２画素２５２、第３画素２５３、第４画素２５４、第５画素２５５、第６画素２５６、第７画素２５７に対応するＫの値は、１，２，３，４，５，６となる。
【００４３】
そして、移動制御手段１４２は、図３（Ａ）に示すような等倍状態から、第１画素２５１を基準に所定領域２００を０．２５画素分右方向へ拡大させる、すなわち、図３（Ｂ）に示すように、所定領域２００の大きさが６．２５画素分となる状態に、第１〜第７画素２５１〜２５７の点灯状態を制御する。
このとき、式（１），（２）中のＪの値は、０．２５となる。
【００４４】
このため、移動制御手段１４２は、図４に示すように、拡大基準画素である第１画素２５１の信号出力レベルＬ（１，０．２５）を、式（１）に基づいて、Ｌ（１，０）となる状態に制御する。すなわち、第１画素２５１の信号出力レベルを変更させない制御をする。
また、式（２）中のＫの値が例えば１、すなわち第１画素２５１の１個隣である第２画素２５２の信号出力レベルＬ（２，０．２５）を、式（２）に基づいて、（０．２５／６）Ｌ（１，０）＋（５．７５／６）Ｌ（２，０）となる状態に制御する。
そして、式（２）中のＫの値が６である第７画素２５７の信号出力レベルＬ（７，０．２５）を、式（２）に基づいて、（１．５／６）Ｌ（６，０）となる状態に制御する。
【００４５】
また、移動制御手段１４２は、図３（Ｂ）に示すような状態から、第１画素２５１を基準に所定領域２００を０．２５画素分右方向へ拡大させる、すなわち、図３（Ｃ）に示すように、等倍状態から０．５画素分拡大させて、所定領域２００の大きさが６．５画素分となる状態に制御する。
このとき、式（１），（２）中のＪの値は、０．５となる。
このため、移動制御手段１４２は、第１〜第７画素２５１〜２５７の信号出力レベルＬ（１，０．５），Ｌ（２，０．５），Ｌ（３，０．５），Ｌ（４，０．５），Ｌ（５，０．５），Ｌ（６，０．５），Ｌ（７，０．５）を図４に示すような状態に制御する。
【００４６】
さらに、移動制御手段１４２は、図３（Ｃ）に示すような状態から、第１画素２５１を基準に所定領域２００を０．２５画素分右方向へ拡大させる、すなわち、図３（Ｄ）に示すように、等倍状態から０．７５画素分拡大させて、所定領域２００の大きさが６．７５画素分となる状態に制御する。
このとき、式（１），（２）中のＪの値は、０．７５となる。
このため、移動制御手段１４２は、第１画素２５１〜第７画素２５７の信号出力レベルＬ（１，０．７５），Ｌ（２，０．７５），Ｌ（３，０．７５），Ｌ（４，０．７５），Ｌ（５，０．７５），Ｌ（６，０．７５），Ｌ（７，０．７５）を図４に示すような状態に制御する。
【００４７】
また、移動制御手段１４２は、図３（Ｄ）に示すような状態から、第１画素２５１を基準に所定領域２００を０．２５画素分右方向へ拡大させる、すなわち、図３（Ｅ）に示すように、等倍状態から１画素分拡大させて、所定領域２００の大きさが７画素分となる状態に制御する。
このとき、式（１），（２）中のＪの値は、１となる。
このため、移動制御手段１４２は、第１画素２５１〜第７画素２５７の信号出力レベルＬ（１，１），Ｌ（２，１），Ｌ（３，１），Ｌ（４，１），Ｌ（５，１），Ｌ（６，１），Ｌ（７，１）を図４に示すような状態に制御する。
【００４８】
そして、移動制御手段１４２は、所定領域２００を等倍状態から１画素分拡大させる制御をすると、第１画素２５１〜第７画素２５７の信号出力レベルを式（１），（２）と略対応する式に基づく値に制御して、第７画素２５７を基準に所定領域２００を１画素分縮小させる制御をする。
【００４９】
具体的には、移動制御手段１４２は、図３（Ｅ）に示すような状態から、第７画素２５７を基準に所定領域２００を０．２５画素分右方向へ縮小させる、すなわち、図３（Ｆ）に示すように、所定領域２００の大きさが６．７５画素分となる状態に制御する。
さらに、図３（Ｆ）に示すような状態から、第７画素２５７を基準に所定領域２００を０．２５画素分右方向へ縮小させる制御を２回実施する。すなわち、図３（Ｇ），（Ｈ）に示すように、所定領域２００の大きさが６．５画素分、６．２５画素分となる状態に制御する。
そして、移動制御手段１４２は、図３（Ｈ）に示すような状態から、第７画素２５７を基準に所定領域２００を０．２５画素分右方向へ縮小させる、すなわち、図３（Ｉ）に示すように、所定領域２００の大きさが６画素分となる状態に制御する。
これらの制御により、所定領域２００は、等倍状態から１画素分右方向へ移動した状態となる。
【００５０】
移動制御手段１４２は、プラズマディスプレイパネル１３０に表示された映像の全領域について、上述したような制御を同一のタイミングで実施して、映像全体を１画素分だけ右方向へ移動させる制御をする。そして、移動制御手段１４２は、映像の全領域について上述したような制御を逆の順序で実施して、映像全体を１画素分だけ左方向へ移動させる制御をする。すなわち、図３（Ｉ）に示すような状態から、図３（Ａ）に示すような状態に戻す制御をする。
【００５１】
〔表示装置の動作〕
次に、表示装置１００の動作を、図面を参照して説明する。
なお、動作内容を理解しやすくするために、図３（Ａ）〜（Ｉ）および図４と同様に、表示領域の第Ｐラインを構成する７個の画素の点灯状態を制御して、映像を表示させる構成を例示して説明する。
図５は、表示状態制御処理を示すフローチャートである。
【００５２】
表示装置１００は、表示状態制御装置１４０の表示制御手段１４１の制御により、映像信号入力部１１０に入力された映像信号に対応する映像を、プラズマディスプレイパネル１３０で表示させる。
そして、表示状態制御装置１４０の移動制御手段１４２は、図５に示すように、タイマ１４３からの計時情報に基づくタイマカウント処理を実施して（ステップＳ１０１）、変数Ｖ，Ｗ，Ｘ，Ｙを０に設定する処理をする（ステップＳ１０２）。
この後、移動制御手段１４２は、変数Ｖに１を加える処理をする（ステップＳ１０３）。そして、第１画素２５１を基準に、所定領域２００を０．２５画素分右方向へ拡大させる制御をして（ステップＳ１０４）、変数Ｖが４であるか否かを判断する（ステップＳ１０５）。
【００５３】
このステップＳ１０５において、変数Ｖが４でないと判断した場合、ステップＳ１０３の処理を実施する。
一方、ステップＳ１０５において、変数Ｖが４であると判断した場合、すなわちステップＳ１０４の処理を４回実施して、第１画素２５１を基準に所定領域２００を右方向に１画素分拡大させる制御をしたと判断した場合、変数Ｗに１を加える処理をする（ステップＳ１０６）。この後、第７画素２５７を基準に、所定領域２００を０．２５画素分右方向へ縮小させる制御をして（ステップＳ１０７）、変数Ｗが４であるか否かを判断する（ステップＳ１０８）。
【００５４】
そして、ステップＳ１０８において、変数Ｗが４でないと判断した場合、ステップＳ１０６の処理を実施する。
一方、ステップＳ１０８において、変数Ｗが４であると判断した場合、すなわちステップＳ１０７の処理を４回実施して、第１画素２５１を基準に所定領域２００を右方向に１画素分縮小させる制御をしたと判断した場合、タイマカウント処理を実施して（ステップＳ１０９）、変数Ｘに１を加える処理をする（ステップＳ１１０）。この後、第７画素２５７を基準に、所定領域２００を０．２５画素分左方向へ拡大させる制御をして（ステップＳ１１１）、変数Ｘが４であるか否かを判断する（ステップＳ１１２）。
【００５５】
このステップＳ１１２において、変数Ｘが４でないと判断した場合、ステップＳ１１０の処理を実施する。
一方、ステップＳ１１２において、変数Ｘが４であると判断した場合、すなわちステップＳ１１１の処理を４回実施して、第７画素２５７を基準に所定領域２００を左方向に１画素分拡大させる制御をしたと判断した場合、変数Ｙに１を加える処理をする（ステップＳ１１３）。この後、第１画素２５１を基準に、所定領域２００を０．２５画素分左方向へ縮小させる制御をして（ステップＳ１１４）、変数Ｙが４であるか否かを判断する（ステップＳ１１５）。
【００５６】
そして、ステップＳ１１５において、変数Ｙが４でないと判断した場合、ステップＳ１１３の処理を実施する。
一方、ステップＳ１１３において、変数Ｙが４であると判断した場合、すなわちステップＳ１１４の処理を４回実施して、第１画素２５１を基準に所定領域２００を左方向に１画素分縮小させる制御をしたと判断した場合、すなわち、所定領域２００が移動制御開始前の状態に戻ったと判断した場合、処理を終了する。
【００５７】
〔表示装置の作用効果〕
上述したように、上記実施の形態では、表示装置１００の表示状態制御装置１４０は、映像の所定領域２００を、第１画素２５１を基準に０．２５画素分ずつ右方向へ拡大させる処理と、第７画素２５７を基準に０．２５画素分ずつ右方向へ縮小させる処理と、を実施して、所定領域２００を右側へ移動させる制御をする。すなわち、所定領域２００を、一端を基準として他端を一端から離す状態に、１ステップでの拡大量が１画素未満となるように拡大させる処理と、他端を基準として一端を他端に近づける状態に、１ステップでの縮小量が１画素未満となるように縮小させる処理と、を実施して、所定領域２００を他端側へ移動させる制御をする。
このため、所定領域２００の大きさを１ステップでの拡大量、縮小量が１画素未満となるように拡大、縮小させて、映像を移動させるので、視覚的に違和感なく映像の大きさを変化させつつ移動させることができる。
また、各画素の点灯状態を制御することにより映像を移動させるので、デジタル信号での処理にも適用できる。
さらに、画素変換処理、映像表示位置移動処理を実施したり、画素変換係数を利用したりする必要がなく、容易な処理で映像を移動させることができる。
また、映像を、その大きさを変化させつつ移動させるので、大きさを変化させずに移動させる構成と比べて、映像全体がぼけるのを抑制できる。
したがって、適切にかつ容易にプラズマディスプレイパネル１３０の焼き付きを防止できる。
【００５８】
そして、表示状態制御装置１４０は、第７画素２５７を基準に０．２５画素分ずつ左方向へ拡大させる処理と、第１画素２５１を基準に０．２５画素分ずつ左方向へ縮小させる処理と、を実施して、所定領域２００を左側へ移動させる制御をする。
このため、限られた表示領域内であっても、映像を左右に往復移動させることができ、映像の移動回数が制限されることがない。一方、映像を一方向のみにしか移動させることができない構成では、映像の移動回数が制限されてしまう。
したがって、一方向のみにしか移動させることができない構成と比べて、焼き付きをより防止できる。
【００５９】
また、表示状態制御装置１４０は、拡大させる大きさと、縮小させる大きさと、が等しい状態で、所定領域２００を移動させる。
このため、拡大、縮小させる大きさが異なる状態で所定領域２００を移動させる構成と比べて、拡大、縮小させる際の制御を容易にできる。
さらに、大きさの変化割合を一定にすることができ、視覚的な違和感をより抑制できる。
【００６０】
そして、表示状態制御装置１４０は、所定領域２００を拡大させる処理および縮小させる処理を、映像の全領域について同一のタイミングで実施する。
このため、領域ごとに異なるタイミングで拡大、縮小させる構成と比べて、拡大、縮小させる際の制御を容易にできる。
さらに、映像全体を同一タイミングで同一の大きさだけ拡大、縮小させることができ、視覚的な違和感をさらに抑制できる。
【００６１】
さらに、表示状態制御装置１４０は、所定領域２００を拡大させる処理として、第１〜第７画素２５１〜２５７の信号出力レベルを式（１），（２）に基づく値に制御する処理を実施する。
このため、式（１），（２）に、第１〜第７画素２５１〜２５７に対応する値を代入するだけの簡単な処理で、所定領域２００を拡大させることができ、拡大、縮小させて、映像を移動させる処理を迅速にできる。
【００６２】
また、表示状態制御装置１４０を、表示装置１００に設けている。
このため、適切にかつ容易にプラズマディスプレイパネル１３０の焼き付きを防止可能な表示装置１００を提供できる。
さらに、プラズマディスプレイパネル１３０の長寿命化を図ることができる。
【００６３】
〔実施の形態の変形〕
なお、本発明は、上述した実施の形態に限定されるものではなく、本発明の目的を達成できる範囲で以下に示される変形をも含むものである。
【００６４】
すなわち、所定領域２００を左右に往復移動させずに、右方向または左方向のみに移動させる構成としてもよい。
このような構成にすれば、所定領域２００を移動させる制御を容易にできる。
【００６５】
また、拡大させる大きさと、縮小させる大きさとが異なる状態で所定領域２００を移動させる構成としてもよい。例えば、０．２５画素分右方向へ拡大させる処理を連続して２回実施した後に、０．５画素分右方向へ縮小させる処理を１回実施することにより、所定領域２００を０．５画素分右方向へ移動させる構成としてもよい。
【００６６】
そして、所定領域２００を上下方向に移動させる構成や、上下左右方向に移動させる構成としてもよい。
また、拡大、縮小させる大きさとしては、０．２５画素分に限らず、０．１画素分、０．８画素分など、１ステップでの拡大量、縮小量が１画素未満ならいずれの大きさとしてもよい。
【００６７】
さらに、所定領域２００を拡大させる処理を実施する際に、式（１），（２）に基づく信号出力レベルの制御を実施しない構成としてもよい。
【００６８】
そして、図６（Ａ）〜（Ｅ）、図７（Ｆ）〜（Ｉ）に示すような制御を実施する構成としてもよい。
なお、図６（Ａ）〜（Ｅ）、図７（Ｆ）〜（Ｉ）、後述する図８（Ａ）〜（Ｅ）、図９（Ｆ），（Ｇ）において、第１画素３５１、第２画素３５２、第３画素３５３、第４画素３５４、第５画素３５５、第６画素３５６、第７画素３５７を表す丸形図形中のハッチングは、映像の所定領域３００を意味する。
【００６９】
具体的には、図６（Ａ）に示すように、第Ｐライン、第（Ｐ＋１）ライン、第（Ｐ＋２）ラインを構成する第１〜第７画素３５１〜３５７を利用して、左右方向の大きさが６画素分の所定領域３００を表示させる。
さらに、図６（Ａ）に示すような等倍状態から、第１画素３５１を基準に、第Ｐラインに対応する第１領域３０１を０．５画素分右方向へ拡大させるとともに、第（Ｐ＋１）ラインに対応する第２領域３０２を０．２５画素分右方向へ拡大させる処理を、２回実施して、図６（Ｂ），（Ｃ）に示すように、第１領域３０１の大きさを６．５画素分、７画素分にするとともに、第２領域３０２の大きさを６．２５画素分、６．５画素分にする。
【００７０】
この後、第２領域３０２を０．２５画素分右方向へ拡大させるとともに、第１画素３５１を基準に、第（Ｐ＋２）ラインに対応する第３領域３０３を０．５画素分右方向へ拡大させる処理を、２回実施して、図６（Ｄ），（Ｅ）に示すように、第２領域３０２の大きさを６．７５画素分、７画素分にするとともに、第３領域３０３の大きさを６．５画素分、７画素分にする。
これらの制御により、第１〜第３領域３０１〜３０３の全ての大きさは、７画素分となる。すなわち、所定領域３００が、１画素分右方向に拡大された状態となる。
【００７１】
さらに、第７画素３５７を基準に、第１領域３０１を０．５画素分右方向へ縮小させるとともに、第２領域３０２を０．２５画素分右方向へ縮小させる処理を、２回実施する。この後、第２領域３０２を０．２５画素分右方向へ縮小させるとともに、第７画素３５７を基準に、第３領域３０３を０．５画素分右方向へ縮小させる処理を、２回実施する。
すなわち、図７（Ｆ）〜（Ｉ）に示すように、第１領域３０１の大きさを６．５画素分、６画素分、６画素分、６画素分にし、第２領域３０２の大きさを６．７５画素分、６．５画素分、６．２５画素分、６画素分にし、第３領域３０３の大きさを、７画素分、７画素分、６．５画素分、６画素分にする。
これらの制御により、所定領域３００は、右方向に１画素分移動した状態となる。
【００７２】
また、図８（Ａ）〜（Ｅ）、図９（Ｆ），（Ｇ）に示すような制御を実施する構成としてもよい。
具体的には、図８（Ａ）に示すような所定領域３００を表示させた後に、第１画素３５１を基準に、第１領域３０１を０．５画素分右方向へ拡大させ、図８（Ｂ）に示すように、第１領域３０１の大きさを６．５画素分にする。
この後、第１領域３０１を０．５画素分右方向へ拡大させるとともに、第１画素３５１を基準に、第２領域３０２を０．５画素分右方向へ拡大させ、図８（Ｃ）に示すように、第１，第２領域３０１，３０２の大きさを、それぞれ７画素分、６．５画素分にする。
【００７３】
そして、第７画素３５７を基準に、第１領域３０１を０．５画素分右方向へ縮小させるとともに、第２，第３領域３０２，３０３を０．５画素分右方向へ拡大させ、図８（Ｄ）に示すように、第１〜第３領域３０１〜３０３の大きさを、それぞれ６．５画素分、７画素分、６．５画素分にする。
この後、第７画素３５７を基準に、第１，第２領域３０１，３０２を０．５画素分右方向へ縮小させるとともに、第３領域３０３を０．５画素分右方向へ拡大させ、図８（Ｅ）に示すように、第１〜第３領域３０１〜３０３の大きさを、それぞれ６画素分、６．５画素分、７画素分にする。
さらに、第７画素３５７を基準に、第２，第３領域３０２，３０３を０．５画素分右方向へ縮小させる。さらに、第３領域３０３のみを０．５画素分右方向へ縮小させる。
すなわち、図８（Ｆ），（Ｇ）に示すように、第２領域３０２の大きさを６画素分、６画素分にし、第３領域３０３の大きさを６．５画素分、６画素分にする。
これらの制御により、所定領域３００は、右方向に１画素分移動した状態となる。
【００７４】
さらに、図１０（Ａ）〜（Ｉ）に示すような制御を実施する構成としてもよい。
具体的には、図１０（Ａ）に示すように、互いに左右方向に隣接する第１所定領域４１０、第２所定領域４２０、第３所定領域４３０、第４所定領域４４０で構成される集合領域４００を表示させる。
そして、図１０（Ｂ）に示すように、第１，第３所定領域４１０，４３０の左端を基準にして、第１，第３所定領域４１０，４３０を右方向へ拡大させるとともに、第２，第４所定領域４２０，４４０の右端を基準にして、第２，第４所定領域４２０，４４０を右方向へ縮小させる（以下、第１拡大縮小処理と称す）。このとき、第１〜第４所定領域４１０，４２０，４３０，４４０を拡大、縮小させる大きさは、同じであり、かつ、画素の大きさよりも小さいＱ（０＜Ｑ＜１）画素分である。
これにより、第１〜第４所定領域４１０，４２０，４３０，４４０の大きさが変化するが、集合領域４００は移動しない状態（以下、非移動拡大縮小状態と称す）となる。
【００７５】
この後、図１０（Ｃ）に示すように、右端を基準にして第１，第３所定領域４１０，４３０を右方向へ縮小させるとともに、左端を基準にして第２，第４所定領域４２０，４４０を右方向へ拡大させる（以下、第２拡大縮小処理と称す）ことにより、集合領域４００はＱ画素分右方向へ移動した状態（以下、右方向移動状態と称す）となる。
さらに、第１拡大縮小処理および第２拡大縮小処理を３回ずつ交互に実施する。
これにより、図１０（Ｄ）〜（Ｉ）に示すように、交互に、非移動拡大縮小状態、右方向移動状態となり、集合領域４００は、図１０（Ａ）に示す状態から（４×Ｑ）画素分右方向へ移動した状態となる。
【００７６】
これらのような構成にした場合、各ラインあるいは第１〜第４所定領域４１０，４２０，４３０，４４０で拡大、縮小させるタイミングが異なるため、上記実施の形態と比べて制御が複雑になるが、従来の構成と比べて、適切にかつ容易に焼き付きを防止できる。
なお、図６〜図１０に示す構成において、式（１），（２）に基づく信号出力レベルの制御を実施してもよい。
【００７７】
そして、移動制御手段１４２を表示装置１００と別体で設け、表示装置１００に適宜接続可能な構成としてもよい。
さらに、本発明の表示状態制御装置を、表示部としての液晶パネル、有機ＥＬ（Electro Luminescence）パネル、ＣＲＴ、ＦＥＤ（Field Emission Display）を備えた表示装置に適用してもよい。
【００７８】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から演算手段としてのコンピュータで読み取らせる構成とすることにより、取扱が容易で、利用の拡大が容易に図れる。
【００７９】
その他、本発明の実施の際の具体的な構造および手順は、本発明の目的を達成できる範囲で他の構造などに適宜変更できる。
【００８０】
〔実施形態の作用効果〕
上述したように、上記実施の形態では、表示装置１００の表示状態制御装置１４０は、映像の所定領域２００を、第１画素２５１を基準に０．２５画素分ずつ右方向へ拡大させる処理と、第７画素２５７を基準に０．２５画素分ずつ右方向へ縮小させる処理と、を実施して、所定領域２００を右側へ移動させる制御をする。
このため、所定領域２００の大きさを１ステップでの拡大量、縮小量が１画素未満となるように拡大、縮小させて、映像を移動させるので、視覚的に違和感なく映像の大きさを変化させつつ移動させることができる。
また、各画素の点灯状態を制御することにより映像を移動させるので、デジタル信号での処理にも適用できる。
さらに、画素変換処理、映像表示位置移動処理を実施したり、画素変換係数を利用したりする必要がなく、容易な処理で映像を移動させることができる。
また、映像を、その大きさを変化させつつ移動させるので、大きさを変化させずに移動させる構成と比べて、映像全体がぼけるのを抑制できる。
したがって、適切にかつ容易にプラズマディスプレイパネル１３０の焼き付きを防止できる。
【００８１】
そして、表示状態制御装置１４０を、表示装置１００に設けている。
このため、適切にかつ容易にプラズマディスプレイパネル１３０の焼き付きを防止可能な表示装置１００を提供できる。
さらに、プラズマディスプレイパネル１３０の長寿命化を図ることができる。
【図面の簡単な説明】
【００８２】
【図１】従来の焼き付き防止技術の問題点を説明するための概念図である。
【図２】本発明の一実施の形態に係る表示装置の概略構成を示すブロック図である。
【図３】前記一実施の形態における映像の移動制御を説明するための概念図であり、（Ａ）は等倍状態を表し、（Ｂ）は（Ａ）の状態から所定領域が０．２５画素分右方向へ拡大された際の状態を表し、（Ｃ）は（Ａ）の状態から所定領域が０．５画素分右方向へ拡大された際の状態を表し、（Ｄ）は（Ａ）の状態から所定領域が０．７５画素分右方向へ拡大された際の状態を表し、（Ｅ）は（Ａ）の状態から所定領域が１画素分右方向へ拡大された際の状態を表し、（Ｆ）は（Ｅ）の状態から所定領域が０．２５画素分右方向へ縮小された際の状態を表し、（Ｇ）は（Ｅ）の状態から所定領域が０．５画素分右方向へ縮小された際の状態を表し、（Ｈ）は（Ｅ）の状態から所定領域が０．７５画素分右方向へ縮小された際の状態を表し、（Ｉ）は（Ａ）の状態から所定領域が１画素分右方向へ移動した際の状態を表す。
【図４】前記一実施の形態における映像を所定画素分拡大させた際の各画素における信号出力レベルの調整状態を表形式で示す図である。
【図５】前記一実施の形態における表示状態制御処理を示すフローチャートである。
【図６】本発明の他の実施の形態に係る映像の移動制御を説明するための概念図であり、（Ａ）は等倍状態を表し、（Ｂ）は（Ａ）の状態から第１領域が０．５画素分、第２領域が０．２５画素分右方向へ拡大された際の状態を表し、（Ｃ）は（Ａ）の状態から第１領域が１画素分、第２領域が０．５画素分右方向へ拡大された際の状態を表し、（Ｄ）は（Ａ）の状態から第１領域が１画素分、第２領域が０．７５画素分、第３領域が０．５画素分右方向へ拡大された際の状態を表し、（Ｅ）は（Ａ）の状態から所定領域が１画素分右方向へ拡大された際の状態を表す。
【図７】前記他の実施の形態における映像の移動制御を説明するための概念図であり、（Ｆ）は図６（Ｅ）の状態から第１領域が０．５画素分、第２領域が０．２５画素分右方向へ縮小された際の状態を表し、（Ｇ）は図６（Ｅ）の状態から第１領域が１画素分、第２領域が０．５画素分右方向へ縮小された際の状態を表し、（Ｈ）は図６（Ｅ）の状態から第１領域が１画素分、第２領域が０．７５画素分、第３領域が０．５画素分右方向へ縮小された際の状態を表し、（Ｉ）は図６（Ａ）の状態から所定領域が１画素分右方向へ移動した際の状態を表す。
【図８】本発明のさらに他の実施の形態に係る映像の移動制御を説明するための概念図であり、（Ａ）は等倍状態を表し、（Ｂ）は（Ａ）の状態から第１領域が０．５画素分右方向へ拡大された際の状態を表し、（Ｃ）は（Ａ）の状態から第１領域が１画素分、第２領域が０．５画素分右方向へ拡大された際の状態を表し、（Ｄ）は（Ｃ）の状態から第１領域が０．５画素分右方向へ縮小されるとともに（Ａ）の状態から第２領域が１画素分、第３領域が０．５画素分右方向へ拡大された際の状態を表し、（Ｅ）は（Ｃ）の状態から第１領域が１画素分右方向へ縮小され、（Ｄ）の状態から第２領域が０．５画素分右方向へ縮小され、（Ａ）の状態から第３領域が１画素分右方向へ拡大された際の状態を表す。
【図９】前記さらに他の実施の形態における映像の移動制御を説明するための概念図であり、（Ｆ）は図８（Ｃ）の状態から第１領域が１画素分右方向へ縮小され、図８（Ｄ）の状態から第２領域が１画素分右方向へ縮小され、図８（Ｅ）の状態から第３領域が０．５画素分右方向へ縮小された際の状態を表し、（Ｇ）は図８（Ａ）の状態から所定領域が１画素分右方向へ移動した際の状態を表す。
【図１０】本発明のさらに他の実施の形態に係る映像の移動制御を説明するための概念図であり、（Ａ）は等倍状態を表し、（Ｂ）は（Ａ）の状態から非移動拡大縮小状態に移行した際の状態を表し、（Ｃ）は（Ａ）の状態から集合領域がＱ画素分右方向へ移動した際の状態を表し、（Ｄ）は（Ｃ）の状態から非移動拡大縮小状態に移行した際の状態を表し、（Ｅ）は（Ａ）の状態から集合領域が（２×Ｑ）画素分右方向へ移動した際の状態を表し、（Ｆ）は（Ｅ）の状態から非移動拡大縮小状態に移行した際の状態を表し、（Ｇ）は（Ａ）の状態から集合領域が（３×Ｑ）画素分右方向へ移動した際の状態を表し、（Ｈ）は（Ｇ）の状態から非移動拡大縮小状態に移行した際の状態を表し、（Ｉ）は（Ａ）の状態から集合領域が（４×Ｑ）画素分右方向へ移動した際の状態を表す。
【符号の説明】
【００８３】
１００…表示装置
１３０…表示部としてのプラズマディスプレイパネル
１４０…表示状態制御装置
１４１…表示制御手段
１４２…移動制御手段
２００，３００，４１０，４２０，４３０，４４０…所定領域
２５１，２５２，２５３，２５４，２５５，２５６，２５７，３５１，３５２，３５３，３５４，３５５，３５６，３５７…画素
【図１】
2007286496.tif 000003
【図２】
2007286496.tif 000004
【図３】
2007286496.tif 000005
【図４】
2007286496.tif 000006
【図５】
2007286496.tif 000007
【図６】
2007286496.tif 000008
【図７】
2007286496.tif 000009
【図８】
2007286496.tif 000010
【図９】
2007286496.tif 000011
【図１０】
2007286496.tif 000012